(57)【要約】【課題】塗料、その他の固化性、あるいは粘着性を有する液を収納する容器に組み付けられ、上面に設けられたスライド式の蓋板で注出口が開閉される容器の注ぎ口において、内容液を注出口より注出させる際、常に空気置換用の孔を通して空気が流入し内容液を円滑に注出できる容器の注ぎ口を提供すること。【解決手段】  注ぎ口本体の上面に蓋板部材をスライド自在に装着して注出口を開閉する注ぎ口において、蓋板部材の裏面に突片を延設し、注出口を蓋板部材が閉鎖すると突片の先端が空気置換用の孔を貫いて挿入され、蓋板部材を後方に引き下げると、突片が空気置換用の孔から抜け出るように容器の注ぎ口を構成した。  これにより注出口を開放すると空気置換用の孔が開口され、孔を介して空気を流入させることができ、円滑に内容液が注出される容器の注ぎ口を提供できる。【選択図】図１
2006069595.tif 000002
【特許請求の範囲】
【請求項１】
容器口部に組み付けられ、注ぎ口本体の上面に蓋板部材をスライド自在に装着し、該蓋板部材をスライドさせて注ぎ口本体に設けられた注出口を開閉する注ぎ口において、
注ぎ口本体と蓋板部材との間にバネ部材を組み付け、該バネ部材により蓋板部材を前方に引き寄せて注出口を閉鎖させ、
注ぎ口本体に空気置換用の孔を備え、内容液を注出する際注出された内容液と置換される空気を該孔を通して容器内に流入させ、
更に蓋板部材の裏面に突片を設け、蓋板部材が前方に位置すると該突片の先端が前記空気置換用の孔を貫いて該孔内に挿入され、蓋板部材を後方に引き下げると突片が空気置換用の孔から抜き出るように構成した容器の注ぎ口。
【請求項２】
突片を弾性変形可能な支持片を介して蓋板部材に取り付け、前記孔への挿入方向、および孔からの抜出方向に変位可能とした請求項１に記載の容器の注ぎ口。
【請求項３】
突片の先端に、蓋板部材の後退方向に蓋板部材からの高さが低くなるように傾斜させた傾斜辺を形成し、蓋板部材を後方に引き下げると該突片が該傾斜辺に沿って空気置換用の孔から抜け出る請求項１または２に記載の容器の注ぎ口。
【請求項４】
蓋板部材の後方に、該蓋板部材を後方に引き下げる際に把持する把持部を備えた請求項１〜３のいずれか１項に記載の容器の注ぎ口。
【発明の詳細な説明】
【技術分野】
【０００１】
本発明は、上面にスライド式の蓋板を開閉自在に備えた注ぎ口で、塗料、その他の固化性、あるいは粘着性を有する内容液を常に円滑に注出させることができる容器の注ぎ口に関する。
【背景技術】
【０００２】
塗料容器に取り付ける容器の注ぎ口（蓋体）には、ケース本体の上面に蓋板部材をスライド自在に取り付け、ケース本体の後方に設けられた押レバーを押し下げて、蓋板部材を後方に引き下げ注出口を開放させ、注出口からの注出が終了したときは蓋板部材を元に戻して注出口を閉鎖させるようにしたものが知られている。
【０００３】
またケース本体に空気置換用の孔を設け、内容液の注出に伴って容器内に空気を流入させ、内容液と空気とを置換させて容器から内容液が円滑に注出できるようにしている。
【特許文献１】特開２００４−９１００８号公報
【発明の開示】
【発明が解決しようとする課題】
【０００４】
しかしながら容器に塗料などを収納した場合、容器内面で塗料が乾燥、固形化して、空気置換用の孔を閉塞させてしまうことが考えられる。このように空気置換用の孔が閉塞されると、塗料が注出されたときに塗料と空気との置換が空気置換用の孔を介して行われなくなり、注出が途切れがちとなって塗料が円滑に注出されなくなることがある。
【０００５】
本発明は上記問題点を解決し、上面に設けられたスライド式の蓋板で注出口が開閉される容器の注ぎ口において、塗料、その他の固化性、あるいは粘着性を有する内容液を注出口より注出させる際、空気置換用の孔を通して容器内に空気が流入し内容液を円滑に注出できる容器の注ぎ口を提供することを目的とする。
【課題を解決するための手段】
【０００６】
本発明は上記課題を解決するため、容器の口部に組み付けられる注ぎ口を次のように構成した。
【０００７】
１、注ぎ口本体の上面に蓋板部材をスライド自在に装着し、該注ぎ口本体に設けられた注出口を該蓋板部材のスライド動作によって開閉させる容器の注ぎ口において、注ぎ口本体と蓋板部材との間に蓋板部材を前方に引き寄せるバネ部材を組み付け、バネ部材の付勢により蓋板部材で注出口を閉鎖させ、注ぎ口本体に空気置換用の孔を備え、注出口より内容液を注出して容器内の内容液が減少すると内容液と置換される空気を空気置換用の孔を通して流入させ、
更に蓋板部材の裏面に突片を設け、蓋板部材を前方に位置させると突片の先端が空気置換用の孔を貫いて孔内に挿入され、蓋板部材を後方に引き下げると突片が蓋板部材とともに移動して空気置換用の孔から抜き出されるように注ぎ口を構成した。
２、  突片を弾性変形可能な支持片を介して蓋板部材に取り付け、空気置換用の孔への挿入方向、および孔からの抜出方向に変位可能として容器の注ぎ口を構成した。
３、  突片の先端に、蓋板部材の後退方向に蓋板部材からの高さが低くなるように傾斜させた傾斜辺を形成し、蓋板部材を後方に引き下げると突片が該傾斜辺に沿って空気置換用の孔から抜き出るように構成した１または２に記載の容器の注ぎ口。
４、蓋板部材の後方に、蓋板部材を後方に引き下げる際に把持する把持部を備えて１〜３のいずれかに記載の容器の注ぎ口を構成した。
【発明の効果】
【０００８】
本発明にかかる容器の注ぎ口は、次の効果を有する。
【０００９】
容器内面に内容液が固着して空気置換用の孔が閉塞された場合でも、注出口を閉じると突片の先端が空気置換用の孔に挿入され、その孔を貫通するので、空気置換用の孔を閉塞させている固形物が突片の先端により崩し落され、空気置換用の孔が開口される。
【００１０】
したがって、次に蓋板部材を後方に引き下げ注出口を開放した際、突片の先端が抜け出た空気置換用の孔を確実に開口させることができ、内容液の注出に伴って内容液と置換させる空気を流入させ、内容液を円滑に注出させることができる。
【００１１】
突片の先端後方が傾斜していることから、蓋板部材を後退させると傾斜辺が空気置換用の孔に当たり孔に沿って突片が上昇して、空気置換用の孔から突片を抜き出すことができる。
【００１２】
またかかる効果を、蓋板部材を手で後方に引き下げるようにした簡易な構造の注ぎ口で確実に実現できる。
【発明を実施するための最良の形態】
【００１３】
図１に注ぎ口２を示す。注ぎ口２は、注ぎ口本体４と、蓋板部材６と、ばね部材８からなり、注ぎ口本体４に設けられた取付口部１０が容器３０の口筒部３２にネジ嵌合して容器３０に一体に取り付けてある。
【００１４】
注ぎ口本体４は、図４に示すように斜め前方に注出口１２を備え、注出口１２の後方に空気置換用の孔３（図５参照）と、孔３の外周上方に延びる筒体１６、ガイド壁１８、ストッパー２０及びストッパー１５などが形成してある。注出口１２及び孔３は、図５に示すようにそれぞれ下方で取付口部１０内に連通している。
【００１５】
注出口１２、筒体１６及びガイド壁１８の上面は、取付口部１０の取付面に対して前方を上にした連続した平坦な傾斜面に形成してある。注出口１２の前部は、注出させ易いように角部をもって屈曲させてあり、かつわずかに前方に傾けてある。また注出口１２の基部には、バネ８の一端を留める孔２７が両側に形成してある。
【００１６】
筒体１６は後方に下部まで達する縦のスリットが形成してあり、スリットを挟んだ両側に２枚のガイド壁１８が筒体１６の後方に向けストッパー２０まで平行に設けられている。ストッパー２０は上方に立ち上げられた板状部材で、後述する蓋板部材６が前方に位置したとき把持部２６がストッパー２０の後面に当接する。
【００１７】
ストッパー２０の後方は、注ぎ口本体４の後方端まで案内台１４が形成してある。案内台１４は、上面を左右の面より高く形成してあり、案内台１４の後端には側方に張り出したストッパー１５が設けてある。また案内台１４の左右の壁の基部には、表裏を貫通した切り溝として形成された２本の平行なガイド２２が前後方向に設けてある。
【００１８】
蓋板部材６は、図４に示すように前方に蓋板２４を備え、中央部分に支持片７に支持された突片５（図５参照）を、また後方に把持部２６を備えている。
【００１９】
蓋板２４は先端面が鋭角に傾斜し、蓋板部材６を前方に移動させると注出口１２の上縁をすり切るように移動し注出口１２の上面を密閉する。蓋板２４の基部にはバネ部材８を取り付ける取付孔２８が両側に設けてある。
【００２０】
支持片７は、蓋板部材６の中央に後辺を残してコの字状に形成された切り欠きにより形成してあり、後端を支点して先端側を弾性変形により揺動自在に形成してある。
【００２１】
突片５は薄片状で、支持片７の揺動端の裏面にガイド壁１８間を移動可能に取り付けてある。また突片５は先端が突出しており、蓋板部材６を前方に位置させて注出口１２を閉鎖すると突片５の先端が孔３を貫通して孔３の内部に挿入され、蓋板部材６を後方に引き下げると突片５の後方の傾斜辺９に沿って孔３から抜け出るように形成してある。
【００２２】
把持部２６は指先を掛けて後方に引き易い形状に形成してあり、把持部２６の前方基部に、ガイド２２内にスライド可能に嵌合する爪２９が設けられている。また把持部２６の下部には、案内台１４の立ち上がり部分に沿って切り欠いた切欠部１７が形成してあり、蓋板部材６を前後に移動させると切欠部１７が案内台１４に案内されて摺動する。バネ８は、バネ８の端部を注ぎ口本体４の孔２７と蓋板部材６の孔２８にそれぞれ固定してあり、蓋板部材６を前方に引き寄せるように付勢する。
【００２３】
次に、注ぎ口２の作用について説明する。
【００２４】
注ぎ口２の取付口部１０を容器３０の口部３２に螺合させ、注ぎ口２の後方が容器３０の突出した肩部に突き当たるまで締め込む。蓋板部材６は、バネ８により前方に引き寄せられ、注出口１２が蓋板２４により閉鎖されている。
【００２５】
容器３０から内容液である塗料を注出するときは、把持部２６に指を掛け、把持部２６がストッパー１５に当接するまで蓋板部材６を後方に引き下げる。すると爪２９がガイド２２に沿って、また切欠部１７が案内台１４沿って移動し、蓋板２４が後退して注出口１２が開放される。また蓋板部材６が後方に引き下げられると、支持片７を上方に撓ませながら突片５が傾斜辺９に沿って孔３から容易に抜き出される。
【００２６】
蓋板部材６を後方端まで引き下げた状態を図３に示す。この状態の注ぎ口２は、図３に示すように注出口１２が開放され、また孔３も開口されている。この状態で容器３０を前方に傾けると注出口１２の前方から塗料が注出され、かつ注出された塗料に相当する量の空気が孔３から流入して容器３０内で塗料と置換され、円滑に塗料を注出できる。
【００２７】
塗料を容器３０から必要量注出したなら、蓋板部材６をバネ８により前方に戻す。すると支持片７の弾性力により突片５が孔３を貫いて内部に挿入される。これにより、仮に塗料の乾燥により孔３が閉塞されていた場合でも、突片５が孔３を貫通することから、孔３を閉塞させている固形物を突いて落下させることができる。
【００２８】
したがって次回蓋板部材６を後方に引き下げて注出口１２を開放させると、空気置換用の孔３から突片５が抜け出て孔３が開口されているので、孔３を介して容器３０内に空気を流入させ、注ぎ口２から塗料を円滑に注出させることができる。
【００２９】
注ぎ口２の他の例を図６に示す。これは、把持部２６の前方に係合突起２３を設け、蓋板部材６を前方に移動させたときストッパー２０の後面に形成された凹部２５に係合突起２３を係合させるように構成した。このようにすると、注出口１２を蓋板２４で閉じたときに蓋板部材６の後方を注ぎ口本体４に係止させることができる。
【図面の簡単な説明】
【００３０】
【図１】本発明にかかる注ぎ口を容器に取り付けた状態を示す斜視図である。
【図２】図１にかかる注ぎ口を縦中央で切断した断面図である。
【図３】注出口を開放した状態の注ぎ口を示す断面図である。
【図４】図１の注ぎ口の分解斜視図である。
【図５】図４の注ぎ口を縦中央で切断した状態を示す分解斜視図である。
【図６】注ぎ口の他の例を示す縦中央で切断した断面図である。
【符号の説明】
【００３１】
２    注ぎ口
３    孔
４    注ぎ口本体
５    突片
６    蓋板部材
７    支持片
８    バネ部材
９    傾斜辺
１０  取付口部
１２  注出口
１４  案内台
１５  ストッパー
１６  筒体
１７  切欠部
１８  ガイド壁
２０  ストッパー
２２  ガイド
２３  係合突起
２４  蓋板
２５  凹部
２６  把持部
２７、２８  孔
２９  爪片
３０  容器
３２  口筒部
【図１】
2006069595.tif 000003
【図２】
2006069595.tif 000004
【図３】
2006069595.tif 000005
【図４】
2006069595.tif 000006
【図５】
2006069595.tif 000007
【図６】
2006069595.tif 000008